(57)【要約】【課題】耐久性が向上した緩衝構造体を有するシューズのアウトソール構造を実現する。【解決手段】アウトソール１の前足部に形成された凹部内に緩衝構造体２が設けられている。緩衝構造体２は、略前後方向に帯状に延びかつ互いに並設された複数の波形シート２０と、各波形シート２０を連結するとともに、それぞれ各波形シート２０を横切って略直線状に延びる複数の連結バー２１とから構成されている。この場合には、各連結バー２１に不連続な個所が形成されていないので、緩衝構造体２の耐久性を向上できる。また、各連結部２１の配設方向を、競技種目に応じた足の屈曲ラインに一致させることにより、当該競技種目に好適のシューズを実現できる。【選択図】      図１
2004173884.tif 000002
【特許請求の範囲】
【請求項１】
シューズのアウトソール構造であって、
アウトソールの少なくとも前足部が、上方に開口する凹部と、前記凹部に配置された緩衝構造体とを備え、
前記緩衝構造体が、略前後方向に帯状に延びかつ互いに並設された複数の波形シートと、前記各波形シートを連結するとともにそれぞれ前記各波形シートを横切って略直線状に延びる複数の連結バーとから構成されている、
ことを特徴とするシューズのアウトソール構造。
【請求項２】
請求項１において、
前記各波形シートの波形状の位相が、前記各波形シートと隣り合う前記各波形シートの波形状の位相に対してπだけオフセットされている、
ことを特徴とするシューズのアウトソール構造。
【請求項３】
請求項１または２において、
前記各波形シートの波形状の波長が、内甲側の前記波形シートおよび外甲側の前記波形シートの間で異なっており、前記各連結バーが、扇状に配設された部分を有している、
ことを特徴とするシューズのアウトソール構造。
【請求項４】
請求項３において、
前記各連結バーの配設方向が、ランニング時における足の前足部の屈曲ラインに沿って配置されている、
ことを特徴とするシューズのアウトソール構造。
【請求項５】
請求項３において、
前記各連結バーの配設方向が、ゴルフスイングの際のフォロースルー時における蹴り足の前足部の屈曲ラインに沿って配置されている、
ことを特徴とするシューズのアウトソール構造。
【請求項６】
請求項１において、
前記アウトソールの前記前足部の底面が透明樹脂製である、
ことを特徴とするシューズのアウトソール構造。
【請求項７】
請求項１において、
前記アウトソールの前記前足部が通気孔を有している、
ことを特徴とするシューズのアウトソール構造。
【請求項８】
シューズのアウトソール構造であって、
アウトソールの少なくとも前足部が、少なくとも下方に開口する凹部と、前記凹部内に配置された緩衝構造体とを備え、
前記緩衝構造体が、略前後方向に帯状に延びかつ互いに並設された複数の波形シートと、前記各波形シートを連結するとともにそれぞれ前記各波形シートを横切って略直線状に延びる複数の連結バーとから構成されるとともに、
前記緩衝構造体の前記各波形シートの各波形状の最下面がアウトソールの底面を形成している、
ことを特徴とするシューズのアウトソール構造。
【発明の詳細な説明】
【０００１】
【発明の属する技術分野】
本発明は、シューズのアウトソール構造に関し、詳細には、アウトソール内に緩衝構造体を備えたものに関する。
【０００２】
【従来の技術およびその課題】
シューズの衝撃吸収性すなわちクッション性を高める目的で、従来より種々の構造が靴底に採用されている。たとえば実開平４−４６８０３号公報では、靴底内部に、断面円形の筒部と、隣り合う筒部の周壁同士を連結する連結部とから構成される中物を埋設した構造が採用されている。
【０００３】
【特許文献１】
実開平４−４６８０３号公報（第１図）
【０００４】
この場合には、靴底に荷重が作用すると、筒部の周壁が撓み、これにより、着用者の足に作用する衝撃が吸収・緩和されるようになっている。
【０００５】
ところで、前記従来の構造において、靴底の衝撃吸収性を変化させる場合には、筒部の大きさを変えたり、連結部の間隔を変えたりすること等が考えられるが、パラメータがあまり多くないため、自由度の高い設計を行うことは困難である。
【０００６】
そこで、特開平１１−２３５２０２号公報に示すような緩衝構造体が本件出願人により提案されている。この緩衝構造体は、それぞれ帯状に延びる複数の波形シートを並設するとともに、隣り合う各波形シートをこれらの波形シートの間に配設された連結バーを介して連結することにより、構成されている。
【０００７】
この場合、緩衝構造体の衝撃吸収性を変化させる際には、各波形シートの波の振幅、波長、位相、連結部の位置等の種々のパラメータを変化させることができ、このような多くのパラメータを適宜調整することによって、自由度の高い設計を行うことが可能になる。
【０００８】
ところで、この緩衝構造体に衝撃荷重が作用したとき、各波形シートの波形状の山の部分が下方に沈み込むように弾性変形するとともに、谷の部分が上方に持ち上がるように弾性変形し、このような波形状の上下方向の変形により衝撃荷重が吸収されるが、このとき、変形する各波形シートによって、それらの間の連結バーが捩じられることになる。
【０００９】
このため、前記公報に示す緩衝構造体の変形時には、連結バーに大きな捩じり応力が発生して、とくに連結バーの波形シートとの連結部分に応力集中が発生する。したがって、前記緩衝構造体においては、その耐久性を向上させたいとする要請があった。
【００１０】
本発明は、このような従来の実情に鑑みてなされたもので、耐久性が向上した緩衝構造体を備えたシューズのアウトソール構造を提供することを目的とする。
【００１１】
【課題を解決するための手段】
請求項１の発明に係るシューズのアウトソール構造は、アウトソールの少なくとも前足部が、上方に開口する凹部と、該凹部内に配置された緩衝構造体とを備えている。緩衝構造体は、略前後方向に帯状に延びかつ互いに並設された複数の波形シートと、各波形シートを連結するとともにそれぞれ各波形シートを横切って略直線状に延びる複数の連結バーとから構成されている。
【００１２】
請求項１の発明においては、緩衝構造体に衝撃荷重が作用したとき、各波形シートの波形状の山の部分が下方に沈み込むように変形するとともに、谷の部分が上方に持ち上がるように変形し、このような波形状の変形により衝撃荷重が吸収される。また、このとき、変形する各波形シートによって連結バーが捩じられ、これにより、連結バーがトーションバーとして作用するので、各波形シートの波形状の変形と相俟って衝撃荷重をより効果的に吸収できる。
【００１３】
この場合には、各波形シートを連結する連結バーが、各波形シートを横切って略直線状に延びているので、緩衝構造体の変形時において各波形シートが変形する際に、連結バー自体に不連続部分がなく、応力集中が発生しにくい構造になっている。これにより、緩衝構造体の耐久性を向上できる。
【００１４】
請求項２の発明では、隣り合う各波形シートの波形状の位相がπだけオフセットされている。この場合には、各波形シートの波形状の山の頂上部を緩衝構造体の載荷面内にほぼ均等にむらなく配置できるようになる。
【００１５】
請求項３の発明では、各波形シートの波形状の波長が、内甲側および外甲側の波形シート間で異なっており、各連結バーが、扇状に配設された部分を有している。
【００１６】
この場合には、たとえば、足の踵部の外甲側から着地して前足部の内甲側から離地していくランニングなどの競技種目において、足の屈曲ラインに緩衝構造体の各連結バーの配設方向を一致させることができるので、足の屈曲ラインに沿った屈曲が容易になり、これにより、このような競技種目に好適のシューズを実現できる。
【００１７】
請求項４の発明では、各連結バーの配設方向が、ランニング時における足の前足部の屈曲ラインに沿って配置されている。また、請求項５の発明では、各連結バーの配設方向が、ゴルフスイングの際のフォロースルー時における蹴り足の前足部の屈曲ラインに沿って配置されている。
【００１８】
請求項６の発明では、アウトソールの前足部の底面が透明樹脂から構成されている。この場合には、アウトソールの底面側から緩衝構造体を見ることができ、視覚的効果を高めることができる。
【００１９】
請求項７の発明では、アウトソールの前足部に通気孔が形成されている。この通気孔を介して、外気をシューズ内部に導入でき、これにより、シューズ内の通気を行うことができる。また緩衝構造体は、その構造上、多数の空所を有しているので、シューズの通気を行う点で有利である。
【００２０】
請求項８の発明に係るシューズのアウトソール構造は、アウトソールの少なくとも前足部が、少なくとも下方に開口する凹部と、該凹部内に配置された緩衝構造体とを備えている。緩衝構造体は、略前後方向に帯状に延びかつ互いに並設された複数の波形シートと、各波形シートを連結するとともにそれぞれ各波形シートを横切って略直線状に延びる複数の連結バーとから構成されており、緩衝構造体の各波形シートの各波形状の最下面がアウトソールの底面を形成している。
【００２１】
この場合には、緩衝構造体がアウトソールの底面に露出しているので、アウトソール内に多量の外気を導入することが可能になり、これにより、シューズの通気性を向上できる。
【００２２】
【発明の実施の形態】
以下、本発明の実施態様を添付図面に基づいて説明する。
図１ないし図６は、本発明の一実施態様によるアウトソール構造を説明するための図であって、図１は緩衝構造体を含むアウトソール（ここではシューズの右足用）の平面図、図２は図１のＩＩ−ＩＩ  線断面図、図３は緩衝構造体の斜視部分図、図４は緩衝構造体をランニング時の足の屈曲ラインとともに示す図、図５はランニング時の足の剥離線を示す図、図６はゴルフスイングのフォロースルー時の蹴り足（ここでは右足）の剥離線を示す図である。
【００２３】
図１に示すように、このアウトソール１は、シューズの全長にわたって延びるアウトソール本体１０を有している。アウトソール本体１０の前足部には、上下方向（図１紙面垂直方向）の貫通穴１０ａが形成されている。貫通穴１０ａ内には、緩衝構造体２が配置されている。
【００２４】
図２に示すように、緩衝構造体２の上方には、プレート状のミッドソール１１が配設され、また下方には、アウトソールプレート１２が配設されており、緩衝構造体２は、ミッドソール１１およびアウトソールプレート１２により上下方向から挟持されている。言い換えれば、図１において、アウトソール本体１０の貫通穴１０ａは、上方に配置されたミッドソールト１１と、ミッドソール１１から所定の間隙を隔てて下方に配置されたアウトソールプレート１２とによって閉塞されており、前記間隙に緩衝構造体２が配置されている。なお、図１では、ミッドソール１１が省略されている。
【００２５】
緩衝構造体２は、図３に示すように、帯状に延びかつ互いに並設された複数の波形シート２０と、各波形シート２０を連結するとともにそれぞれ各波形シート２０を横切って略直線状に延びる複数の連結バー２１とから構成されている。
【００２６】
各波形シート２０は、正弦波状の波形状を有しており、隣り合う各波形シート２０の波形状の位相はπ（すなわち１／２波長）ずつオフセットされている。各連結バー２１は、図２に示すように、正面方向から見て各波形シート２０が互いに交差する個所に配置されている。
【００２７】
緩衝構造体２は、たとえば熱可塑性ポリウレタン（ＴＰＵ）やポリアミドエラストマー（ＰＡＥ）等の熱可塑性材料を用いて射出成形法により成形される。あるいは、たとえばエポキシ樹脂や不飽和ポリエステル樹脂等の熱硬化性材料を用いて圧縮成形法等により成形するようにしてもよい。
【００２８】
各波形シート２０は、図１に示すように、波形状の波長が内甲側の波形シート２０と外甲側の波形シート２０との間で略一定にされた（つまり各連結バー２１が互いに平行に配設された）領域と、波形状の波長が内甲側の波形シート２０から外甲側の波形シート２０に向かうにしたがい徐々に大きくなっている（つまり各連結バー２１が扇状に配設されている）領域とが、連続して形成されている。図１の例では、各連結バー２１の配設方向が、ランニング時の足の屈曲ラインに沿って配置されている。
【００２９】
これを図４および図５を用いて説明する。
図４は、ランニング時の足の屈曲ラインＢＲ  と緩衝構造体２の連結バー２１の配設方向との位置関係を示している。図５は、ランニング時に足裏全体が接地面に接触した状態からスタートして、足が接地面から徐々に離れていく（つまり、足裏の接地領域が接地面から剥離していく）ときの足裏の接地領域の周縁を時系列的に重ね合わせたもの（つまり剥離線図）である。
【００３０】
図５中の剥離線に基づいて足の屈曲ラインＢＲ  を求め、これを同図中に合わせて記載している。一方、図４中の屈曲ラインＢＲ  は、図５から求めた足の屈曲ラインＢＲ  を図４中に転記したものである。図４から明らかなように、各連結バー２１の配設方向は、ランニング時の足の屈曲ラインＢＲ  と非常によく一致していることが分かる。
【００３１】
このような構成になるアウトソール構造において、アウトソール１の前足部に衝撃荷重が作用したとき、ミッドソール１１および（または）アウトソールプレート１２を介して、緩衝構造体２に衝撃荷重が作用する。このとき、各波形シート２０の波形状の山の部分が下方に沈み込むように変形するとともに、谷の部分が上方に持ち上がるように変形し、このような波形状の変形により衝撃荷重が吸収される。また、このとき、変形する各波形シート２０によって連結バー２１が捩じられ、これにより、連結バー２１がトーションバーとして作用するので、各波形シート２０の波形状の変形と相俟って衝撃荷重をより効果的に吸収できる。
【００３２】
この場合には、各波形シート２０を連結する連結バー２１が、各波形シート２０を横切って略直線状に延びているので、緩衝構造体２の変形時において各波形シート２０が変形する際に、連結バー２１自体に不連続部分がなく、応力集中が発生しにくい構造になっている。これにより、緩衝構造体２の耐久性を向上できる。
【００３３】
また、この場合には、隣り合う各波形シート２０の波形状の位相がπだけオフセットされているので、各波形シート２０の波形状の山の頂上部を緩衝構造体２の載荷面内、したがってミッドソール１１およびアウトソールプレート１２の載荷面内にほぼ均等にむらなく配置できるようになる。
【００３４】
さらに、この場合には、各連結バー２１の配設方向がランニング時の足の屈曲ラインＢＲ  に沿って配置されているので、ランニング時に各連結バー２１の配設方向に沿ってアウトソール１が屈曲することにより、足の屈曲ラインＢＲ  に沿った屈曲が可能になり、これにより、ランニングに好適のシューズを実現できる。
【００３５】
なお、アウトソールプレート１２は、透明樹脂から構成されていてもよい。この場合には、アウトソールプレート１２を介してアウトソール１の底面側から緩衝構造体２を見ることができ、視覚的効果を高めることができる。
【００３６】
また、ミッドソール１１およびアウトソールプレート１２には、複数の通気孔が形成されていてもよい。この場合には、通気孔を介して、外気をシューズ内部に導入でき、これにより、シューズ内の通気を行うことができる。また緩衝構造体２は、その構造上、多数の空所を有しているので、シューズの通気を行う点で有利である。
【００３７】
前記実施態様では、緩衝構造体２が、ミッドソール１１およびアウトソールプレート１２で挟持された例を示したが、本発明の適用はこれに限定されない。アウトソール１の前足部において、少なくとも下方に開口する凹部を形成し、該凹部内に緩衝構造体２を配置するようにしてもよい。この場合、緩衝構造体２を構成する各波形シート２０の各波形状の最下面が、アウトソール１の底面を形成している。
【００３８】
この場合には、緩衝構造体２がアウトソール１の底面に露出しているので、アウトソール内に多量の外気を導入することが可能になり、これにより、シューズの通気性を向上できる。
【００３９】
また、緩衝構造体２の各連結バー２１の配設方向は、ゴルフスイングの際のフォロースルー時における蹴り足の前足部の屈曲ラインに沿って配置されるようにしてもよい。
【００４０】
図６は、ゴルフスイングのフォロースルー時において、蹴り足の足裏全体が接地面に接触した状態からスタートして、足が接地面から徐々に離れていくときの足裏の接地領域の周縁を時系列的に重ね合わせた剥離線図である。図６中の剥離線に基づいて足の屈曲ラインＢＧ  を求め、これを同図中に合わせて記載している。この屈曲ラインＢＧ  と一致するように、緩衝構造体２の各連結バー２１の配設方向を設定することにより、ゴルフスイングのフォロースルー時に各連結バー２１の配設方向に沿ってアウトソール１が屈曲するようになって、足の屈曲ラインＢＧ  に沿った屈曲が可能になり、これにより、ゴルフに好適のシューズを実現できる。
【００４１】
なお、緩衝構造体２において、扇状に配設される各連結バー２１の集束点としては、一つでなくてもよく、複数であってもよい。また、二つの集束点のうち、一方の集束点が内甲側に配置され、他方の集束点が外甲側に配置されているものでもよい。
【００４２】
また、前記実施態様では、アウトソールの前足部のみに緩衝構造体が配置された例を示したが、本発明の適用はこれには限定されず、前足部のみならず踵部にも緩衝構造体を設けるようにしてもよい。
【００４３】
【発明の効果】
以上のように本発明によれば、緩衝構造体の各波形シートを連結する連結バーが各波形シートを横切って略直線状に延びているので、耐久性が向上した緩衝構造体を含むアウトソール構造を実現できる効果がある。
【図面の簡単な説明】
【図１】本発明の一実施態様による緩衝構造体を含むアウトソール構造の平面図である。
【図２】図１のＩＩ−ＩＩ  線断面図である。
【図３】緩衝構造体（図１）の斜視部分図である。
【図４】緩衝構造体（図１）をランニング時の足の屈曲ラインとともに示す図である。
【図５】ランニング時の足の剥離線図である。
【図６】ゴルフスイングのフォロースルー時の蹴り足の剥離線図である。
【符号の説明】
１：  アウトソール
１０：  アウトソール本体
１２：  アウトソールプレート
２：  緩衝構造体
２０：  波形シート
２１：  連結バー
ＢＲ  ：  ランニング時の足の屈曲ライン
ＢＧ  ：  ゴルフスイングのフォロースルー時の足の屈曲ライン
【図１】
2004173884.tif 000003
【図２】
2004173884.tif 000004
【図３】
2004173884.tif 000005
【図４】
2004173884.tif 000006
【図５】
2004173884.tif 000007
【図６】
2004173884.tif 000008